【手続補正書】
【提出日】平成28年4月25日(2016.4.25)
【手続補正１】
【補正対象書類名】特許請求の範囲
【補正対象項目名】全文
【補正方法】変更
【補正の内容】
【特許請求の範囲】
【請求項１】
シートを給送するシート給送手段と、
シートに画像を形成する画像形成手段と、
前記画像形成手段により画像が形成されたシートを排出するシート排出ローラ対と、
前記シート排出ローラ対により排出されたシートが積載されるシート積載部と、
画像を読み取る前の原稿が積載される給送原稿積載部と、
前記給送原稿積載部に積載された原稿を給送する原稿給送手段と、
前記原稿給送手段により給送される原稿の画像を読み取る画像読取手段と、
前記画像読取手段で画像が読み取られた原稿を排出する原稿排出ローラ対と、
前記原稿排出ローラ対により排出された原稿を積載する排出原稿積載部と、を備える画像形成装置であって、
前記原稿給送手段および原稿排出ローラ対は、水平方向の位置が前記シート排出ローラ対と異なるように配置され、
前記原稿給送手段の一部が前記シート排出ローラ対と高さ方向にオーバーラップし、前記原稿給送手段のニップ部の方が前記シート排出ローラ対のニップ部よりも高さ方向で高い位置になるように配置されると共に、前記給送原稿積載部と前記シート積載部は、前記画像形成装置に対して同じ側に配置される、
又は、前記原稿排出ローラ対の一部が前記シート排出ローラ対と高さ方向にオーバーラップし、前記原稿排出ローラ対のニップ部の方が前記シート排出ローラ対のニップ部よりも高さ方向で高い位置になるように配置されると共に、前記排出原稿積載部と前記シート積載部は、前記画像形成装置に対して同じ側に配置される、
ことを特徴とする画像形成装置。
【請求項２】
前記原稿給送手段および原稿排出ローラ対は、互いに水平方向の位置が異なるように配設され、
前記原稿給送手段の一部が前記原稿排出ローラ対と高さ方向にオーバーラップするように配設された、
ことを特徴とする請求項１記載の画像形成装置。
【請求項３】
前記シート排出ローラ対は、シートを挟持して搬送するニップ部を有し、このニップ部が前記画像形成手段よりも上方に位置するように配設され、
前記原稿給送手段及び原稿排出ローラ対は、前記シート排出ローラ対のニップ部よりも上方に位置するように配設され、
前記画像読取手段は、前記シート排出ローラ対のニップ部よりも下方に位置するように配設された、
ことを特徴とする請求項１又は２記載の画像形成装置。
【請求項４】
前記原稿給送手段及び原稿排出ローラ対は、水平方向において、前記シート排出ローラ対に対して、前記シート積載部とは反対側に配設された、
ことを特徴とする請求項１乃至３のいずれか１項記載の画像形成装置。
【請求項５】
前記原稿給送手段及び原稿排出ローラ対は、原稿を挟持して搬送するニップ部をそれぞれ有し、これら原稿給送手段及び原稿排出ローラ対は、高さ方向において互いのニップ部の位置が異なるように配設されており、
前記シート積載部、給送原稿積載部及び排出原稿積載部は、それぞれ前記シート排出ローラ対、前記原稿給送手段、前記原稿排出ローラ対から水平方向において離れる第１方向に向かって上方へ傾斜して延設されている、
ことを特徴とする請求項１乃至４のいずれか１項記載の画像形成装置。
【請求項６】
前記シート給送手段から前記シート排出ローラ対までの間の搬送路を形成すると共に、その搬送路の途中に前記画像形成手段が設けられた第１搬送路と、
前記第１搬送路の前記画像形成手段のシート搬送方向上流側と下流側とを前記画像形成手段を迂回する形で接続する第２搬送路と、
前記原稿給送手段と接続する原稿給送路、前記原稿排出ローラ対と接続する原稿排出路、前記第２搬送路の少なくとも一部と搬送経路を共用し、前記画像形成手段により第１面に画像が形成されたシート及び前記原稿給送手段から給送された原稿のいずれもが通過する共通搬送路を有し、前記共通搬送路を介して前記原稿給送路から前記原稿排出路に原稿を案内する原稿搬送路と、を備え、
前記画像読取手段は、前記共通搬送路を通過する原稿の画像を読み取り可能に配設された、
ことを特徴とする請求項１乃至５のいずれか１項記載の画像形成装置。
【請求項７】
前記原稿排出ローラ対のニップ部は、前記原稿給送手段のニップ部よりも上方に配設され、
前記原稿給送手段は、水平方向において、前記シート排出ローラ対と前記原稿排出ローラ対との間に配設され、
前記給送原稿積載部は、その水平方向の端部位置が、前記排出原稿積載部の端部位置よりも前記第１方向において離れた位置となるように形成されている、
ことを特徴とする請求項５記載の画像形成装置。
【請求項８】
前記原稿排出路は、前記共通搬送路と並設されていると共に、その一端部が接続部にて前記共通搬送路と接続され、
前記画像読取手段は、対向して設けられた前記共通搬送路と前記原稿排出路との間に配設され、前記画像読取手段は一方側を向くことで前記共通搬送路を搬送されている原稿の第１面の画像を読み取り、他方側を向くことで前記原稿排出路を搬送されている原稿の第２面の画像を読み取る、
ことを特徴とする請求項６記載の画像形成装置。
【請求項９】
前記原稿給送手段のニップ部は、前記原稿排出ローラ対のニップ部よりも上方に配設され、
前記原稿排出ローラ対は、水平方向において、前記シート排出ローラ対と前記原稿給送手段との間に配設され、
前記排出原稿積載部は、その水平方向の端部位置が、前記給送原稿積載部の端部位置よりも前記第１方向において離れた位置となるように形成されている、
ことを特徴とする請求項５記載の画像形成装置。
【請求項１０】
前記原稿給送路は、前記共通搬送路と並設されていると共に、その一端部が接続部にて前記共通搬送路と接続され、
前記画像読取手段は、対向して設けられた前記共通搬送路と前記原稿給送路との間に配設され、前記画像読取手段は一方側を向くことで前記共通搬送路を搬送されている原稿の第１面の画像を読み取り、他方側を向くことで前記原稿排出路を搬送されている原稿の第２面の画像を読み取る、
ことを特徴とする請求項６記載の画像形成装置。
【請求項１１】
前記原稿給送手段は、原稿を給送する原稿給送ローラと、前記原稿給送ローラに圧接して原稿を１枚ずつに分離する分離ローラと、を有し、
前記分離ローラの一部が前記シート排出ローラ対と高さ方向にオーバーラップする、
ことを特徴とする請求項１乃至１０のいずれか１項記載の画像形成装置。
【請求項１２】
前記原稿給送手段は、原稿を給送する原稿給送ローラと、前記原稿給送ローラに圧接して原稿を１枚ずつに分離する分離パッドおよび前記分離パッドを保持する保持部材からなる分離部と、を有し、
前記分離部の一部が前記シート排出ローラ対と高さ方向にオーバーラップする。
ことを特徴とする請求項１乃至１０のいずれか１項記載の画像形成装置。
【請求項１３】
前記原稿排出ローラ対のニップ部は、前記原稿給送手段のニップ部よりも上方に配設され、
前記原稿給送手段は、水平方向において、前記シート排出ローラ対と前記原稿排出ローラ対との間に配設され、
前記原稿給送手段の一部が前記シート排出ローラ対と高さ方向にオーバーラップする、
ことを特徴とする請求項２乃至６のいずれか１項記載の画像形成装置。
【請求項１４】
前記原稿給送手段のニップ部は、前記原稿排出ローラ対のニップ部よりも上方に配設され、
前記原稿排出ローラ対は、水平方向において、前記シート排出ローラ対と前記原稿給送手段との間に配設され、
前記原稿排出ローラ対の一部が前記シート排出ローラ対と高さ方向にオーバーラップする、
ことを特徴とする請求項２乃至６のいずれか１項記載の画像形成装置。
【請求項１５】
前記シート給送手段から前記シート排出ローラ対へシートを上へ案内すると共に、その搬送路の途中に前記画像形成手段が設けられた第１搬送路と、
前記画像形成手段で片面に画像が形成されたシートを再度、前記第１搬送路に案内する第２搬送路と、
前記原稿給送手段と接続する原稿給送路、前記原稿排出ローラ対と接続する原稿排出路、前記第２搬送路の少なくとも一部と搬送経路を共用し、前記画像形成手段により第１面に画像が形成されたシート及び前記原稿給送手段から給送された原稿のいずれもが通過する共通搬送路を有し、前記共通搬送路を介して前記原稿給送路から前記原稿排出路に原稿を案内する原稿搬送路と、を備えた、
ことを特徴とする請求項１乃至５のいずれか１項記載の画像形成装置。
【請求項１６】
シートを給送するシート給送手段と、
シートに画像を形成する画像形成手段と、
前記画像形成手段により画像が形成されたシートを排出するシート排出ローラ対と、
前記シート排出ローラ対により排出されたシートが積載されるシート積載部と、
画像を読み取る前の原稿が積載される給送原稿積載部と、
前記給送原稿積載部に積載された原稿を給送する原稿給送手段と、
前記原稿給送手段により給送される原稿の画像を読み取る画像読取手段と、
前記画像読取手段で画像が読み取られた原稿を排出する原稿排出ローラ対と、
前記原稿排出ローラ対により排出された原稿を積載する排出原稿積載部と、を備え、
前記原稿給送手段および原稿排出ローラ対は、水平方向の位置が前記シート排出ローラ対と異なるように配置され、
前記原稿給送手段の一部が前記シート排出ローラ対と高さ方向にオーバーラップし、前記原稿給送手段のニップ部の方が前記シート排出ローラ対のニップ部よりも高さ方向で高い位置になるように配置されると共に、鉛直上方向から見た場合、前記給送原稿積載部と前記シート積載部の少なくとも一部がオーバーラップしている、
又は、前記原稿排出ローラ対の一部が前記シート排出ローラ対と高さ方向にオーバーラップし、前記原稿排出ローラ対のニップ部の方が前記シート排出ローラ対のニップ部よりも高さ方向で高い位置になるように配置されると共に、鉛直上方向から見た場合、前記排出原稿積載部と前記シート積載部の少なくとも一部はオーバーラップしている、
ことを特徴とする画像形成装置。
【手続補正２】
【補正対象書類名】明細書
【補正対象項目名】０００７
【補正方法】変更
【補正の内容】
【０００７】
本発明は、画像形成装置において、シートを給送するシート給送手段と、シートに画像を形成する画像形成手段と、前記画像形成手段により画像が形成されたシートを排出するシート排出ローラ対と、前記シート排出ローラ対により排出されたシートが積載されるシート積載部と、画像を読み取る前の原稿が積載される給送原稿積載部と、前記給送原稿積載部に積載された原稿を給送する原稿給送手段と、前記原稿給送手段により給送される原稿の画像を読み取る画像読取手段と、前記画像読取手段で画像が読み取られた原稿を排出する原稿排出ローラ対と、前記原稿排出ローラ対により排出された原稿を積載する排出原稿積載部と、を備え、前記原稿給送手段および原稿排出ローラ対は、水平方向の位置が前記シート排出ローラ対と異なるように配置され、前記原稿給送手段の一部が前記シート排出ローラ対と高さ方向にオーバーラップし、前記原稿給送手段のニップ部の方が前記シート排出ローラ対のニップ部よりも高さ方向で高い位置になるように配置されると共に、前記給送原稿積載部と前記シート積載部は、前記画像形成装置に対して同じ側に配置される、又は、前記原稿排出ローラ対の一部が前記シート排出ローラ対と高さ方向にオーバーラップし、前記原稿排出ローラ対のニップ部の方が前記シート排出ローラ対のニップ部よりも高さ方向で高い位置になるように配置されると共に、前記排出原稿積載部と前記シート積載部は、前記画像形成装置に対して同じ側に配置される、ことを特徴とする。
【手続補正３】
【補正対象書類名】明細書
【補正対象項目名】０００８
【補正方法】変更
【補正の内容】
【０００８】
また、本発明は、画像形成装置において、シートを給送するシート給送手段と、シートに画像を形成する画像形成手段と、前記画像形成手段により画像が形成されたシートを排出するシート排出ローラ対と、前記シート排出ローラ対により排出されたシートが積載されるシート積載部と、画像を読み取る前の原稿が積載される給送原稿積載部と、前記給送原稿積載部に積載された原稿を給送する原稿給送手段と、前記原稿給送手段により給送される原稿の画像を読み取る画像読取手段と、前記画像読取手段で画像が読み取られた原稿を排出する原稿排出ローラ対と、前記原稿排出ローラ対により排出された原稿を積載する排出原稿積載部と、を備え、前記原稿給送手段および原稿排出ローラ対は、水平方向の位置が前記シート排出ローラ対と異なるように配置され、前記原稿給送手段の一部が前記シート排出ローラ対と高さ方向にオーバーラップし、前記原稿給送手段のニップ部の方が前記シート排出ローラ対のニップ部よりも高さ方向で高い位置になるように配置されると共に、鉛直上方向から見た場合、前記給送原稿積載部と前記シート積載部の少なくとも一部がオーバーラップしている、又は、前記原稿排出ローラ対の一部が前記シート排出ローラ対と高さ方向にオーバーラップし、前記原稿排出ローラ対のニップ部の方が前記シート排出ローラ対のニップ部よりも高さ方向で高い位置になるように配置されると共に、鉛直上方向から見た場合、前記排出原稿積載部と前記シート積載部の少なくとも一部はオーバーラップしている、ことを特徴とする。
【手続補正４】
【補正対象書類名】明細書
【補正対象項目名】０００９
【補正方法】削除
【補正の内容】